(57)【要約】【課題】  高い引張り強度を有する電線用絶縁ロープを提供する。【解決手段】  ロープ本体１３と、ロープ本体１３の長手方向両端部にそれぞれ設けられるリング部２ａ，２ｂとを有する。一方のリング部２ａは、繊維束から成る芯線４と、第１の絶縁性材料から成り、芯線４の一部を被覆する被覆層５とを含む。芯線４の被覆層５によって被覆されていない部分４ｂは、第１平面Ｓ１上で中心角θが１８０°以上の円弧を成し、かつ第１平面Ｓ１に垂直な第２平面Ｓ２に関して対称に配設された反転部６を有する。芯線４の被覆層５によって被覆された部分４ａは、反転部６に連なる連接部７を有し、反転部６および連接部７は、第２の絶縁性材料によって被覆される。【選択図】      図３
2019037080.tif 000002
【特許請求の範囲】
【請求項１】
繊維束から成る芯線と、
第１の絶縁性材料から成り、前記芯線の一部を被覆する被覆層と、を含む電線用絶縁ロープであって、
前記芯線の、前記被覆層によって被覆されていない部分は、第１平面上で中心角が１８０°以上の円弧を成し、かつ前記第１平面に垂直な第２平面に関して対称に配設された反転部を有し、
前記芯線の、前記被覆層によって被覆された部分は、前記反転部に連なる連接部を有し、
前記反転部および前記連接部は、第２の絶縁性材料によって被覆されていることを特徴とする電線用絶縁ロープ。
【請求項２】
繊維束から成る芯線と、
第１の絶縁性材料から成り、前記芯線の一部を被覆する被覆層と、を含む電線用絶縁ロープであって、
前記芯線は、第１平面上で中心角が１８０°以上の円弧を成し、かつ前記第１平面に垂直な第２平面に関して対称に配設された反転部を有し、
前記芯線の、前記被覆層によって被覆された部分は、前記反転部の一端に連なる第１連接部と、前記反転部の他端に連なり、前記第２平面上で前記第１連接部と並んで配設された第２連接部と、を有し、
前記反転部、前記第１連接部および前記第２連接部は、第２の絶縁性材料によって被覆されていることを特徴とする電線用絶縁ロープ。
【発明の詳細な説明】
【技術分野】
【０００１】
本発明は、電柱間に張架される架空電線の断線による垂れ下がりおよび落下を防止するために用いられる電線用絶縁ロープに関する。
【背景技術】
【０００２】
従来から、電柱間に並列に張架される複数の架空電線間には、架空電線の劣化および台風、地震などの災害による断線時の垂れ下がりおよび落下を防止するために、電線用絶縁ロープが架け渡されている。各架空電線には、金属線を螺旋状に曲げ加工した係止具がそれぞれ装着され、各係止具には電線用絶縁ロープのリング部が掛け止められる。
【０００３】
このような電線用絶縁ロープの従来技術は、たとえば特許文献１に記載されている。この従来技術では、電線連結用ロープに、使用時に巻付けグリップ金具に施工しやすくするために、把持用リングが設けられ、把持用リングは絶縁性樹脂によって被覆された芯材繊維をリング状にしてスリーブで固定した後、耐摩耗性に優れる高密度ポリエチレン樹脂によって射出成形している。
【先行技術文献】
【特許文献】
【０００４】
【特許文献１】特開２０１２−３４４３４号公報
【発明の概要】
【発明が解決しようとする課題】
【０００５】
このような従来技術では、リング状の芯材繊維は、押出成形によって、軟質のシリコーン樹脂などの絶縁性樹脂で被覆され、反転した端部とその付け根部とがスリーブによって結束され、その外側が高密度ポリエチレン樹脂が射出成形された構成であるので、芯材繊維に高密度ポリエチレン樹脂が充分に浸透せず、高密度ポリエチレン樹脂から成る被覆層と芯材繊維との付着力が小さく、把持用リングの引張り強度が低いという問題がある。
【０００６】
本発明の目的は、高い引張り強度を有する電線用絶縁ロープを提供することである。
【課題を解決するための手段】
【０００７】
本発明は、繊維束から成る芯線と、
第１の絶縁性材料から成り、前記芯線の一部を被覆する被覆層と、を含む電線用絶縁ロープであって、
前記芯線の、前記被覆層によって被覆されていない部分は、第１平面上で中心角が１８０°以上の円弧を成し、かつ前記第１平面に垂直な第２平面に関して対称に配設された反転部を有し、
前記芯線の、前記被覆層によって被覆された部分は、前記反転部に連なる連接部を有し、
前記反転部および前記連接部は、第２の絶縁性樹脂によって被覆されていることを特徴とする電線用絶縁ロープである。
【０００８】
また本発明は、繊維束から成る芯線と、
第１の絶縁性材料から成り、前記芯線の一部を被覆する被覆層と、を含む電線用絶縁ロープであって、
前記芯線は、第１平面上で中心角が１８０°以上の円弧を成し、かつ前記第１平面に垂直な第２平面に関して対称に配設された反転部を有し、
前記芯線の、前記被覆層によって被覆された部分は、前記反転部の一端に連なる第１連接部と、前記反転部の他端に連なり、前記第２平面上で前記第１連接部と並んで配設された第２連接部と、を有し、
前記反転部、前記第１連接部および前記第２連接部は、第２の絶縁性材料によって被覆されていることを特徴とする電線用絶縁ロープである。
【発明の効果】
【０００９】
本発明によれば、繊維束から成る芯線と、第１の絶縁性材料から成り、芯線の一部を被覆する被覆層とを含み、芯線の被覆層によって被覆されていない部分は、第１平面上で中心角が１８０°以上の円弧を成し、かつ第１平面に垂直な第２平面に関して対称に配設された反転部を有し、芯線の被覆層によって被覆された部分は、反転部に連なる連接部を有し、反転部および連接部は、第２の絶縁性材料によって被覆されている。
【００１０】
このような構成によって、第１平面上において１８０°以上の円弧を成す反転部には、第２の絶縁性材料が直接、浸透し、芯線と第２の絶縁性材料との接合強度を向上し、高い引張り強度を得ることができる。また、反転部および連接部が第２の絶縁性材料によって被覆されているので、散水、降雨などによる水の芯線への浸入が防がれ、水の付着による芯線の劣化を抑制し、引張り強度の低下を防止して、耐久性を向上することができる。
【００１１】
また本発明によれば、繊維束から成る芯線と、第１の絶縁性材料から成り、芯線の一部を被覆する被覆層とを含み、芯線は、第１平面上で中心角が１８０°以上の円弧を成し、かつ第１平面に垂直な第２平面に関して対称に配設された反転部を有し、芯線の被覆層によって被覆された部分は、反転部の一端に連なる第１連接部と、反転部の他端に連なり、第２平面上で第１連接部と並んで配設された第２連接部とを有し、反転部、第１連接部および第２連接部は、第２の絶縁性材料によって被覆されている。
【００１２】
このような構成によって、第１連接部と第２連接部とは、第２平面上で重なり、左右両側の架空電線へ各ロープ本体が互いに干渉せず、両側に引き廻し易い。また、第１平面上で１８０°以上の円弧を成す反転部の芯線には、第２の絶縁性材料が浸透し、第１連接部および第２連接部の被覆層が第２の絶縁性材料によって被覆されているので、散水、降雨などによって水の芯線への浸入が防がれ、水の付着による芯線の劣化を抑制し、引張り強度の低下を防止して、耐久性を向上することができる。
【図面の簡単な説明】
【００１３】
【図１】本発明の一実施形態の電線用絶縁ロープ１のリング部２ａを拡大した正面図である。
【図２】リング部２ａを図１の右方から見た側面図である。
【図３】図２の切断面線ＩＩＩ−ＩＩＩから見たリング部２ａの断面図である。
【図４】電線用絶縁ロープ１を架空電線３ａ，３ｂに装着した状態を示す斜視図である。
【図５】電線用絶縁ロープ１の外観を示す図である。
【図６】図５の切断面線ＶＩ−ＶＩから見た拡大断面図である。
【図７】本発明の他の実施形態の電線用絶縁ロープ１ａのリング部２ａを拡大した正面図である。
【図８】電線用絶縁ロープ１ａを架空電線３ａ，３ｂ，３ｃに装着した状態を示す斜視図である。
【図９】電線用絶縁ロープ１ａの外観を示す図である。
【図１０】図９の切断面線Ｘ−Ｘから見た拡大断面図である。
【発明を実施するための形態】
【００１４】
図１は本発明の一実施形態の電線用絶縁ロープ１のリング部２ａを拡大した正面図であり、図２はリング部２ａを図１の右方から見た側面図であり、図３は図２の切断面線ＩＩＩ−ＩＩＩから見たリング部２ａの断面図であり、図４は電線用絶縁ロープ１を架空電線３ａ，３ｂに装着した状態を示す斜視図である。本実施形態の電線用絶縁ロープ１は、ロープ本体１３と、ロープ本体１３の長手方向両端部にそれぞれ設けられるリング部２ａ，２ｂとを有する。一方のリング部２ａは、繊維束から成る芯線４と、第１の絶縁性材料から成り、芯線４の一部を被覆する被覆層５とを含んで構成される。他方のリング部２ｂは、前述の一方のリング部２ａと同様に構成される。以下の説明において、総称する場合には、添え字ａ，ｂを省略して、「リング部２」と記す。
【００１５】
芯線４の被覆層５によって被覆されていない部分４ｂは、第１平面Ｓ１上で中心角θが１８０°以上の円弧を成し、かつ第１平面Ｓ１に垂直な第２平面Ｓ２に関して対称に配設された反転部６を有する。芯線４の被覆層５によって被覆された部分４ａは、反転部６に連なる連接部７を有し、反転部６および連接部７は、第２の絶縁性材料によって被覆されている。
【００１６】
芯線４は、ポリエステル繊維、アラミド繊維、超高分子量ポリエチレン繊維、ポリアリレート、炭素繊維などの編成組織から成る紐状体によって構成される。
【００１７】
第１の絶縁性材料としては、絶縁性を有する材料であれば特に限定されるものではなく、シリコーンゴム、ＥＰＤＭゴム、ポリエチレン、ポリウレタン、ポリ塩化ビニルなどの各種の材料が挙げられ、好ましくは電気絶縁性、耐トラッキング性、耐候性、柔軟性、難燃性などの点で優れた難燃性シリコーンゴムを用いることができる。
【００１８】
また、第２の絶縁性材料としては、ポリエチレンやポリプロピレンなどのオレフィン系樹脂、ポリスチレンやポリ塩化ビニルなどのポリビニル系樹脂、ＡＢＳ樹脂やスチレン／アクリル酸共重合体などの各種の共重合体樹脂、ポリテトラフルオロエチレンやポリフッ化ビニルなどのフッ素樹脂、ポリエチレンテレフタレートなどのポリエステル樹脂、ポリカーボネート樹脂、尿素樹脂、エポキシ樹脂などの各種の材料またはそれらの難燃材料が挙げられ、好ましくは絶縁性、耐トラッキング性、耐候性、耐摩耗性、難燃性などの点で優れた難燃性ポリエチレンを用いることができる。
【００１９】
このような電線用絶縁ロープ１は、ロープ本体１３の被覆層５をその端部から長さＬにわたって剥離し、第２の絶縁性材料と同一の樹脂から成るスペーサ９に嵌合させ、金型に収容して射出成形によって製造することができる。また、ロープ本体１３は、芯線４を第１の絶縁性材料とともに押出成形することによって、芯線４が被覆層５によって被覆されたロープ本体１３が製造される。
【００２０】
図５は電線用絶縁ロープ１の外観を示す図であり、図６は図５の切断面線ＶＩ−ＶＩから見た拡大断面図である。電線用絶縁ロープ１は、螺旋状の吊り具１０ａ，１０ｂにリング部２ａ，２ｂが装着され、各リング部２ａ，２ｂが電線用絶縁ロープ１とともに、２本の架空電線３ａ，３ｂにそれぞれ掛止められる。
【００２１】
これによって、突風、地震などの自然災害時に一方の架空電線３ａ（または３ｂ）が落下または垂れ下がっても、他方の架空電線３ｂ（または３ａ）に、落下または垂れ下がった架空電線３ａ（または３ｂ）が電線用絶縁ロープ１によって吊下げられ、地上まで落下または垂れ下がってしまうことが防止される。
【００２２】
したがって、たとえ架空電線３ａ，３ｂが高圧送電線などの直径が大きく、重量も大きい電線であっても、リング部２ａ，２ｂとロープ本体１３とは高い引張り強度を有するので、架空電線３ａ，３ｂの落下時または垂れ下がり時の大きな慣性力に抗することができ、ロープ本体１３がリング部２ａ，２ｂから抜け出てしまうなどの破壊や損傷が防がれ、各電線３ａ，３ｂが地上まで落下し、または垂れ下がってしまうことを阻止することができる。
【００２３】
また、電線用絶縁ロープ１は、第１平面Ｓ１上において１８０°以上の円弧を成す反転部６には、第２の絶縁性材料が直接、浸透しているので、芯線４と第２の絶縁性材料との接合強度を向上し、高い引張り強度を得ることができる。また、反転部６および連接部７が第２の絶縁性材料によって被覆されているので、散水、降雨などによる水の芯線４への浸入が防がれ、水の付着による芯線４の劣化を抑制し、引張り強度の低下を防止して、耐久性を向上することができる。本件発明者は、本実施形態の電線用絶縁ロープ１について、リング部２ａに対するロープ本体１３の引張り強度を測定したところ、２５０ｋｇｆ以上の引張り強度を有することが確認された。
【００２４】
本件発明者は、絶縁ロープ１のリング部２ａ，２ｂの引張り強度を確認するため、芯線４の被覆層５を剥離した長さおよび位置を異ならせた試料１〜２０について、架空電線１０を挿入した状態でロープ本体１３に引張り力を作用させ、そのときの破断荷重を測定して、各試料１〜２０の引張り強度を測定したところ、次の表１の結果を得た。この引張り強度の測定試験において、表１に示す芯線４の先端部の位置は、図３の符号ａ１〜ａ５とし、基端部の位置は図３のｂ１〜ｂ５とし、引張り力は、株式会社島津製作所製、型番ＡＧＳ−Ｊの引張り試験機を用いた。
【００２５】
【表１】
2019037080.tif 000003
【００２６】
上記の表１から明らかなように、芯線４の先端部がａ１，ａ２，ａ３であって、かつ基端部がｂ１，ｂ２の位置で、剥離長さが１００ｍｍ以上あれば、芯線４に第２の絶縁性材料が充分に浸透し、所要の引張り強度（本実施例では、２７０ｋｇｆ以上）が得られることが確認された。
【００２７】
図７は本発明の他の実施形態の電線用絶縁ロープ１ａのリング部２ｂを拡大した正面図であり、図８は電線用絶縁ロープ１ａを架空電線３ａ，３ｂ，３ｃに装着した状態を示す斜視図であり、図９は電線用絶縁ロープ１ａの外観を示す図であり、図１０は図９の切断面線Ｘ−Ｘから見た拡大断面図である。なお、前述の実施形態と対応する部分には、同一の参照符を付す。本実施形態の電線用絶縁ロープ１ａは、３本の架空電線３ａ，３ｂ，３ｃに吊り具１０ａ，１０ｂ，１０ｃによって掛け止められる。一端側のリング部２ａと中央のリング部２ｂとは、ロープ本体１３ａによって繋がり、中央のリング部２ｂと他端側のリング部２ｃとは、もう１つのロープ本体１３ｂによって繋がっている。
【００２８】
芯線４は繊維束から成り、被覆層５は第１の絶縁性材料から成り、芯線４の一部を被覆し、芯線４が、第１平面Ｓ１上で中心角θが１８０°以上の円弧を成し、かつ第１平面Ｓ１に垂直な第２平面Ｓ２に関して対称に配設された反転部６を有する点は、前述の実施形態と同様である。本実施形態では、中央のリング部２ｂにおいて、芯線４の被覆層５によって被覆された部分４ａは、反転部６の一端に連なる第１連接部７ａと、反転部６の他端に連なり、第２平面Ｓ２上で第１連接部７ａと並んで配設された第２連接部７ｂとを有し、反転部６、第１連接部７ａおよび第２連接部７ｂは、第２の絶縁性材料によって被覆されている。
【００２９】
このような構成を採用することによって、第１連接部７ａと第２連接部７ｂとは、第２平面上において重なって配設され、両側の架空電線３ａ，３ｂへ各ロープ本体１３を引き廻し易く、互いに干渉しない。また、第１平面Ｓ１上で１８０°以上の円弧を成す反転部６の芯線４には、第２の絶縁性材料が浸透し、第１連接部７ａおよび第２連接部７ｂの被覆層５が第２の絶縁性材料によって被覆されているので、散水、降雨などによって水の芯線への浸入が防がれ、水の付着による芯線４の劣化を抑制し、引張り強度の低下を防止して、耐久性を向上することができる。
【符号の説明】
【００３０】
１，１ａ  電線用絶縁ロープ
２ａ，２ｂ  リング部
３ａ，３ｂ  架空電線
４  芯線
５  被覆層
６  反転部
７；７ａ，７ｂ  連接部
９  スペーサ
１０ａ，１０ｂ  吊り具
１３  ロープ本体
Ｓ１  第１平面
Ｓ２  第２平面
θ  中心角
【図１】
2019037080.tif 000004
【図２】
2019037080.tif 000005
【図３】
2019037080.tif 000006
【図４】
2019037080.tif 000007
【図５】
2019037080.tif 000008
【図６】
2019037080.tif 000009
【図７】
2019037080.tif 000010
【図８】
2019037080.tif 000011
【図９】
2019037080.tif 000012
【図１０】
2019037080.tif 000013